(57)【要約】      （修正有）【課題】スライダー内への蝶棒の挿入の更なる円滑化を図るスライドファスナーを提供する。【解決手段】スライダーカバー２００は、上部構造２１０、下部構造２２０、及び上部構造２１０及び下部構造２２０を結合する前方結合部２３０を備える。下部構造２２０が、下翼板の下に配される下部主部２２１と、下部主部２２１よりも前方に配され、また前方結合部２３０の左又は右に配された下部副部２２２を含む。下部副部２２２には、ファスナースライダー内への挿入のために後方に向かって移動する蝶棒部を案内するための後方上り傾斜のガイド面２２５が設けられる。ガイド面２２５には、ガイド面２２５の傾斜方向に沿って凸状に隆起して後方に向かって延びるガイド突起２２６が設けられる。【選択図】図２
0003193160.tif 000002
【実用新案登録請求の範囲】
【請求項１】
連結柱（１３０）を介して上翼板（１１０）と下翼板（１２０）が連結したファスナースライダー（１００）に対して取り付けられるスライダーカバー（２００）であって、
前記上翼板（１１０）側に配される上部構造（２１０）、前記下翼板（１２０）側に配される下部構造（２２０）、及び前記上部構造（２１０）及び前記下部構造（２２０）を前記連結柱（１３０）の前方にて結合する前方結合部（２３０）を備え、
前記下部構造（２２０）が、少なくとも部分的に前記下翼板（１２０）の下に配される下部主部（２２１）と、前記下部主部（２２１）よりも前方に配され、また前記前方結合部（２３０）の左右少なくとも一方に配された下部副部（２２２）を含み、
前記下部副部（２２２）には、前記ファスナースライダー（１００）内への挿入のために後方に向かって移動する蝶棒部（３４０）を案内するための後方上り傾斜のガイド面（２２５）が設けられ、
前記ガイド面（２２５）には、前記ガイド面（２２５）の傾斜方向に沿って凸状に隆起して後方に向かって延びるガイド突起（２２６）が設けられる、スライダーカバー。
【請求項２】
前記ガイド突起（２２６）が前方から後方に延びるに従い前記ガイド突起（２２６）の上下高さが減少する、請求項１に記載のスライダーカバー。
【請求項３】
前記下部副部（２２２）には前記ガイド突起（２２６）の後端部が結合した平坦面（２２７ａ）が設けられ、前記ガイド突起（２２６）の上面（２２６ａ）には前記平坦面（２２７ａ）に面一の面（２２６ａ１）が含まれる、請求項２に記載のスライダーカバー。
【請求項４】
前記ファスナースライダー（１００）の上翼板（１１０）にはフランジ部（１１５）が設けられる、請求項１乃至３のいずれか一項に記載のスライダーカバーであって、
前記上部構造（２１０）が、前記フランジ部（１１５）の隣に設けられる壁部（２１５）を含み、前記壁部（２１５）の前端部には同壁部（２１５）の後端部よりも下方に隆起した隆起部（２１６）が設けられる、スライダーカバー。
【請求項５】
前記隆起部（２１６）が左右方向内側にも隆起する、請求項４に記載のスライダーカバー。
【請求項６】
前記隆起部（２１６）の最も下方に位置する部分が、前記隆起部（２１６）の最も左右方向内側に位置する部分よりも前方に位置づけられる、請求項５に記載のスライダーカバー。
【請求項７】
前記前方結合部（２３０）が、前記上部構造（２１０）に連結した上部結合部（２３１）と、前記下部構造（２２０）の前記下部主部（２２１）と前記下部副部（２２２）に対して連結した下部結合部（２３２）に分割して設けられ、前記上部結合部（２３１）と前記下部結合部（２３２）の嵌合により前記前方結合部（２３０）が構成される、請求項１乃至６のいずれか一項に記載のスライダーカバー。
【請求項８】
請求項１乃至７のいずれか一項に記載のスライダーカバー（２００）と、
前記スライダーカバー（２００）が取り付けられたファスナースライダー（１００）と、
前記ファスナースライダー（１００）により開閉される左右一対のファスナーストリンガー（３１０）を備えるスライドファスナー。
【請求項９】
前記一対のファスナーストリンガー（３１０）の一方に蝶棒部（３４０）が設けられ、他方に箱棒部（３３０）が設けられ、前記蝶棒部（３４０）が、蝶棒本体（３４１）と、前記蝶棒本体（３４１）に一体的に設けられた補強部（３４２）を含み、前記補強部（３４２）には、前記ガイド突起（２２６）に係合可能である溝部（３４３）が設けられる、請求項８に記載のスライドファスナー。
【考案の詳細な説明】
【技術分野】
【０００１】
本考案は、スライダーカバー及び該スライダーカバーを有するスライドファスナーに関する。
【背景技術】
【０００２】
特許文献１にはファスナースライダーに対して取り付けられるスライダーカバーが開示されている。スライダーカバーにより、既存のファスナースライダーに対してそれ本来の機能以外の機能が付与される。特許文献１の段落００６６には、図２１及び図２２を参照しつつ、スライダーカバー７０の下板７２の左側の第１下板７２ｃの傾斜面７２ｆによって蝶棒３４ｃがスライダー１０のエレメント案内路２７内に誘い込まれることが説明されている。
【先行技術文献】
【特許文献】
【０００３】
【特許文献１】国際公開第２０１４／０３３９２６号
【考案の概要】
【考案が解決しようとする課題】
【０００４】
特許文献１の図２１及び図２２の開示の構成においては、一方のファスナーストリンガーに設けられた蝶棒を他方のファスナーストリンガーに設けられた箱部内へ挿入するに際し、まずスライダーカバーの下板の傾斜面により蝶棒が案内されてファスナースライダー内に挿入される。しかしながら、ヒトによる蝶棒の操作に関し、ヒトの胴体に対する腕の付け根を回転中心としてヒトの腕が弧を描くように動く傾向があるため、この点に対する配慮を欠けば、スライダーカバーの下板の傾斜面上において蝶棒が横滑りし、ファスナースライダー内に上手く入らないことが懸念される。この点は、高齢者や身体に不自由がある者にとっては顕在化し、ファスナースライダー、蝶棒、及び箱部が小型化すれば尚更である。ファスナースライダー内への蝶棒の挿入の更なる円滑化の実現に実益がある。
【課題を解決するための手段】
【０００５】
本考案の一態様に係るスライダーカバーは、連結柱（１３０）を介して上翼板（１１０）と下翼板（１２０）が連結したファスナースライダー（１００）に対して取り付けられるスライダーカバー（２００）であって、
前記上翼板（１１０）側に配される上部構造（２１０）、前記下翼板（１２０）側に配される下部構造（２２０）、及び前記上部構造（２１０）及び前記下部構造（２２０）を前記連結柱（１３０）の前方にて結合する前方結合部（２３０）を備え、
前記下部構造（２２０）が、少なくとも部分的に前記下翼板（１２０）の下に配される下部主部（２２１）と、前記下部主部（２２１）よりも前方に配され、また前記前方結合部（２３０）の左右少なくとも一方に配された下部副部（２２２）を含み、
前記下部副部（２２２）には、前記ファスナースライダー（１００）内への挿入のために後方に向かって移動する蝶棒部（３４０）を案内するための後方上り傾斜のガイド面（２２５）が設けられ、
前記ガイド面（２２５）には、前記ガイド面（２２５）の傾斜方向に沿って凸状に隆起して後方に向かって延びるガイド突起（２２６）が設けられる。
【０００６】
幾つかの形態においては、前記ガイド突起（２２６）が前方から後方に延びるに従い前記ガイド突起（２２６）の上下高さが減少する。
【０００７】
幾つかの形態においては、前記下部副部（２２２）には前記ガイド突起（２２６）の後端部が結合した平坦面（２２７ａ）が設けられ、前記ガイド突起（２２６）の上面（２２６ａ）には前記平坦面（２２７ａ）に面一の面（２２６ａ１）が含まれる。
【０００８】
幾つかの形態においては、前記ファスナースライダー（１００）の上翼板（１１０）にはフランジ部（１１５）が設けられる場合において、前記上部構造（２１０）が、前記フランジ部（１１５）の隣に設けられる壁部（２１５）を含み、前記壁部（２１５）の前端部には同壁部（２１５）の後端部よりも下方に隆起した隆起部（２１６）が設けられる。
【０００９】
幾つかの形態においては、前記隆起部（２１６）が左右方向内側にも隆起する。
【００１０】
幾つかの形態においては、前記隆起部（２１６）の最も下方に位置する部分が、前記隆起部（２１６）の最も左右方向内側に位置する部分よりも前方に位置づけられる。
【００１１】
幾つかの形態においては、前記前方結合部（２３０）が、前記上部構造（２１０）に連結した上部結合部（２３１）と、前記下部構造（２２０）の前記下部主部（２２１）と前記下部副部（２２２）に対して連結した下部結合部（２３２）に分割して設けられ、前記上部結合部（２３１）と前記下部結合部（２３２）の嵌合により前記前方結合部（２３０）が構成される。
【００１２】
本考案の別態様に係るスライドファスナーは、上記いずれかに記載のスライダーカバー（２００）と、前記スライダーカバー（２００）が取り付けられたファスナースライダー（１００）と、前記ファスナースライダー（１００）により開閉される左右一対のファスナーストリンガー（３１０）を備える。
【００１３】
幾つかの形態においては、前記一対のファスナーストリンガー（３１０）の一方に蝶棒部（３４０）が設けられ、他方に箱棒部（３３０）が設けられ、前記蝶棒部（３４０）が、蝶棒本体（３４１）と、前記蝶棒本体（３４１）に一体的に設けられた補強部（３４２）を含み、前記補強部（３４２）には、前記ガイド突起（２２６）に係合可能である溝部（３４３）が設けられる。
【考案の効果】
【００１４】
本考案によれば、ファスナースライダー内への蝶棒の挿入の更なる円滑化を図ることができる。
【図面の簡単な説明】
【００１５】
【図１】本考案の第１実施形態に係るスライドファスナーの概略的な上面図であり、ファスナースライダーに対してスライダーカバーが取り付けられ、ファスナースライダーの前方移動により左右一対のファスナーストリンガーが閉じられた状態を示す。
【図２】本考案の第１実施形態に係るスライダーカバーの概略的な分解斜視図である。
【図３】本考案の第１実施形態に係る組み立てられた状態のスライダーカバーの概略的な側面図である。
【図４】本考案の第１実施形態に係る組み立てられた状態のスライダーカバーの概略的な断面図であり、スライダーカバー内に収容されたファスナースライダーの側面図も併せて図示する。
【図５】本考案の第１実施形態に係るスライドファスナーにおいて蝶棒部の蝶棒本体を箱部の前方に置かれたファスナースライダー内に挿通する直前の状態を示す概略的な上面模式図である。
【図６】図５のＶＩ−ＶＩにおける概略的な蝶棒部の断面模式図である。
【図７】本考案の第１実施形態に係るスライドファスナーにおいて蝶棒部の蝶棒本体を箱部の前方に置かれたファスナースライダー内に挿通する直前の状態を示す概略的な上面模式図であり、説明の便宜のためファスナーテープ及びファスナーエレメントの図示を省略している。
【図８】図７のＶＩＩＩ−ＶＩＩＩに沿うスライダーカバー及びファスナースライダーの部分的な概略断面図である。
【図９】本考案の第１実施形態に係るスライドファスナーにおいて蝶棒部の蝶棒本体を箱部の前方に置かれたファスナースライダー内に挿通する過程を示す模式図であり、スライダーカバー及びファスナースライダーを部分断面にて示し、蝶棒部を側面視して示す。
【図１０】本考案の第１実施形態に係るスライドファスナーにおいて蝶棒部の蝶棒本体を箱部の前方に置かれたファスナースライダー内に挿通する過程を示す模式図であり、スライダーカバー、ファスナースライダー、及び蝶棒部を側面視して示す。
【図１１】本考案の第１実施形態に係るスライドファスナーにおいて蝶棒部の蝶棒本体を箱部の前方に置かれたファスナースライダー内に挿通する過程においてスライダーカバーのガイド突起により蝶棒部の左右変位が規制されることを模式的に示す。
【考案を実施するための形態】
【００１６】
以下、図面を参照しつつ、本考案の実施の形態について説明する。実施形態に開示の各特徴は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００１７】
＜第１実施形態＞
図１乃至図１１を参照して第１実施形態について説明する。図１は、スライドファスナーの概略的な上面図であり、ファスナースライダーに対してスライダーカバーが取り付けられ、ファスナースライダーの前方移動により左右一対のファスナーストリンガーが閉じられた状態を示す。図２は、スライダーカバーの概略的な分解斜視図である。図３は、組み立てられた状態のスライダーカバーの概略的な側面図である。図４は、組み立てられた状態のスライダーカバーの概略的な断面図であり、スライダーカバー内に収容されたファスナースライダーの側面図も併せて図示する。図５は、スライドファスナーにおいて蝶棒部の蝶棒本体を箱部の前方に置かれたファスナースライダー内に挿通する直前の状態を示す概略的な上面模式図である。図６は、図５のＶＩ−ＶＩにおける概略的な蝶棒部の断面模式図である。図７は、スライドファスナーにおいて蝶棒部の蝶棒本体を箱部の前方に置かれたファスナースライダー内に挿通する直前の状態を示す概略的な上面模式図であり、説明の便宜のためファスナーテープ及びファスナーエレメントの図示を省略している。図８は、図７のＶＩＩＩ−ＶＩＩＩに沿うスライダーカバー及びファスナースライダーの部分的な概略断面図である。図９は、スライドファスナーにおいて蝶棒部の蝶棒本体を箱部の前方に置かれたファスナースライダー内に挿通する過程を示す模式図であり、スライダーカバー及びファスナースライダーを部分断面にて示し、蝶棒部を側面視して示す。図１０は、スライドファスナーにおいて蝶棒部の蝶棒本体を箱部の前方に置かれたファスナースライダー内に挿通する過程を示す模式図であり、スライダーカバー、ファスナースライダー、及び蝶棒部を側面視して示す。図１１は、スライドファスナーにおいて蝶棒部の蝶棒本体を箱部の前方に置かれたファスナースライダー内に挿通する過程においてスライダーカバーのガイド突起により蝶棒部の左右変位が規制されることを模式的に示す。
【００１８】
本明細書においては、前後方向は、一対のファスナーストリンガーを開閉するために動くファスナースライダーの移動方向に合致する。左右方向は、前後に動くファスナースライダーにより開閉される一対のファスナーストリンガーの各々が隣り合う方向である。左右方向は、各ファスナーストリンガーに含まれる各ファスナーテープの幅方向に一致する方向でもある。ファスナーテープは、前後方向に長尺であり、左右方向において一定又は変動のテープ幅を持つ。上下方向は、前後方向及び左右方向に対して直交する方向である。
【００１９】
なお、上下方向は、ファスナーテープの主面に対して直交する方向でもある。ファスナーテープの主面とは、ファスナーテープの上面若しくは下面である。上下方向は、ファスナースライダーの上翼板と下翼板の横並びの配置方向にも合致する。上下方向は、上翼板と下翼板を連結する連結柱の延在方向にも合致する。なお、以下の説明に基づいて方向を示す用語を再定義することもできる。
【００２０】
図１に示すように、スライドファスナー３００は、左右一対のファスナーストリンガー３１０、左右一対のファスナーストリンガー３１０を開閉するべく前後移動できるファスナースライダー１００、及びファスナースライダー１００に対して取り付けられるスライダーカバー２００を含む。
【００２１】
ファスナーストリンガー３１０は、長尺なファスナーテープ３１１と、ファスナーテープ３１１に設けられた長尺なファスナーエレメント３１２を含む。ファスナーテープ３１１は、織物若しくは編み物の長尺部材である。ファスナーエレメント３１２は、図示においてはモノフィラメントが螺旋状に巻かれたコイルエレメントであるが、これ以外の他の種類のファスナーエレメントに置換しても良い。
【００２２】
ファスナーエレメント３１２は、ファスナーテープ３１１の対向側縁部に設けられる。左右のファスナーテープ３１１は、各々、前後方向に延びる左右一対の側縁部を有する。各ファスナーテープ３１１の左右方向内側の側縁部は、対を為す他方のファスナーテープ３１１に対向する対向側縁部である。なお、左右方向内側とは、左右方向においてファスナーテープ３１１の主面上からファスナーテープ３１１の対向側縁部を横切る方向である。左右方向外側は、左右方向内側とは反対に向かう方向であり、左右方向においてファスナーテープ３１１の対向側縁部を横切ってファスナーテープ３１１の主面上に向かう方向である。
【００２３】
各ファスナーストリンガー３１０には上止３１３が設けられる。上止３１３は、例えば、樹脂又は金属製の部材であり、ファスナーテープ３１１の対向側縁部に対して一体的に設けられる。上止３１３によりファスナースライダー１００の更なる上方移動が阻止される。
【００２４】
左右一対のファスナーストリンガー３１０には開離嵌挿具が設けられる。右側のファスナーストリンガー３１０には箱棒部３３０が設けられる。左側のファスナーストリンガー３１０には蝶棒部３４０が設けられる。箱棒部３３０には、箱部本体３３１、箱棒本体３３２、及び補強部３３３が含まれる。蝶棒部３４０には、蝶棒本体３４１及び補強部３４２が設けられる。蝶棒部３４０の補強部３４２の上面及び下面には、蝶棒本体３４１の隣に蝶棒本体３４１に沿って延びる溝部３４３が設けられる。蝶棒部３４０の補強部３４２の上面及び下面には、蝶棒本体３４１との間に溝部３４３を挟み込む凸部３４４が設けられる。
【００２５】
ファスナースライダー１００は、上翼板１１０、上翼板１１０に平行に設けられた下翼板１２０、及び上翼板１１０と下翼板１２０を前側で連結する連結柱１３０を含み、連結柱１３０により分岐されたＹ字状のエレメント通路を有する。上翼板１１０の左右には上部フランジ部１１５が設けられ、これにより、ファスナーエレメント３１２の左又は右変位が規制される。下翼板１２０の左右にも下部フランジ部１２５が設けられ、これにより、ファスナーエレメント３１２の左又は右変位が規制される。上翼板１１０の上面にはＵ字状の引手取り付け柱１４０が設けられ、引手取り付け柱１４０には引手１５０が取り付けられる。ファスナースライダー１００は、例えば、ダイキャスト成形された金属製のスライダー若しくは金型成形された樹脂製のスライダーである。
【００２６】
スライダーカバー２００は、ファスナースライダー１００に対して装着される部材であり、非限定の一例においては、ファスナースライダー１００に対して着脱可能であり、別例においてはファスナースライダー１００に対して着脱不能である。
【００２７】
スライダーカバー２００は、上側部材２９１と下側部材２９２に分割して設けられる。上側部材２９１と下側部材２９２が前側で嵌合し、これにより、スライダーカバー２００が組み立てられる。上側部材２９１や下側部材２９２は、個別に任意の樹脂材料の金型成形により製造できる。上側部材２９１と下側部材２９２を別々に設けず、これらが非分離に一体化されたものを採用しても良い。上側部材２９１と下側部材２９２が一体化されたものを金型成形により製造する場合と比較して、上側部材２９１と下側部材２９２を個別に金型成形するほうが金型の構成を単純にすることができる。スライダーカバー２００の材料例としては、弾性材料若しくは非弾性材料が例示できる。ポリアミド、ポリエステル、ポリプロピレン、ポリブチレンテレフタレート、シリコーン樹脂等が材料例である。
【００２８】
スライダーカバー２００は、上翼板１１０側に配される上部構造２１０、下翼板１２０側に配される下部構造２２０、及び上部構造２１０及び下部構造２２０を連結柱１３０の前方にて結合する前方結合部２３０を有する。前方結合部２３０は、上部構造２１０に連結した上部結合部２３１と、下部構造２２０に連結した下部結合部２３２を含み、これらの嵌合により構成される。上側部材２９１は、上部構造２１０と上部結合部２３１により構成される。下側部材２９２は、下部構造２２０と下部結合部２３２により構成される。
【００２９】
上部構造２１０は、上翼板１１０上に配される部分を含み、ファスナースライダー１００の上方変位を規制する。非限定の図示形態においては、上部構造２１０が環状体の環状部２１９を含み、環状部２１９の穴部２１８に引手取り付け柱１４０が配され、環状部２１９により引手取り付け柱１４０が周囲される。上部構造２１０は、環状部２１９の外周縁に沿って延びる左右に分割して設けられた壁部２１５を含む。各壁部２１５は、環状部２１９の外周縁から下方に延設され、上翼板１１０の上部フランジ部１１５の左及び右隣に設けられ、ファスナースライダー１００の左及び右変位を規制する。左右の壁部２１５は、前方から後方に向かって間隔が狭くなるテーパー状に設けられる。左右の壁部２１５は、環状部２１９の左右両側に一対で形成されており、上部構造２１０の後端部において左右の壁部２１５が存在しないことにより、上部構造２１０と箱部本体３３１との干渉が回避される。
【００３０】
壁部２１５は、前方側にある前部と、後方側にある後部を備え、壁部２１５の前部には下方に隆起した隆起部２１６が設けられる。隆起部２１６は、後部よりも下方に隆起し、蝶棒部３４０の挿入時に蝶棒部３４０の補強部３４２又は凸部３４４を下方に押し下げ、これにより、蝶棒部３４０とファスナースライダー１００の上翼板１１０の前端部の衝突を回避させる。隆起部２１６は、前方から後方に向かって緩慢に高さが増加し、最大の高さＨ２１６を経て緩慢に高さが減少する（図３参照）。隆起部２１６は、一定の高さＨ２１７の後部２１７に連結する。
【００３１】
ファスナースライダー１００に対してスライダーカバー２００が取り付けられた状態において、壁部２１５の前部の下面が、隆起部２１６の最大高さＨ２１６の位置において、上翼板１１０の上部フランジ部１１５の下面と略同じ若しくは低い上下位置にある。他方、壁部２１５の後部の下面は、上翼板１１０の上部フランジ部１１５の下面よりも高い上下位置にある。隆起部２１６が存在する範囲において壁部２１５の下面は曲面である。他方、壁部２１５の後部の下面は平坦面である。
【００３２】
隆起部２１６は、左右方向において非一定幅に構成される。隆起部２１６の左右幅は、前方から後方に向かって緩慢に増加し、最大幅Ｗ２１６を経て緩慢に減少する（図７参照）。隆起部２１６が上下方向のみならず左右方向においても隆起することによりファスナースライダー１００の上翼板１１０の前端部と蝶棒部３４０の衝突が効果的に回避される。一例においては、隆起部２１６の最大高さＨ２１６の部分が、隆起部２１６の最大幅Ｗ２１６の部分よりも前後方向において前方に配される。蝶棒部３４０は、まず、最大高さＨ２１７の隆起部２１６により下方に押し下げられ、その後、最大幅Ｗ２１６の隆起部２１６により左右方向内側へ押され、これにより、蝶棒部３４０の蝶棒本体３４１が、上翼板１１０と下翼板１２０の間、及び上翼板１１０又は下翼板１２０のフランジ部と連結柱１３０の間の空間内に的確に案内される。
【００３３】
下部構造２２０は、下翼板１２０の下に配される下部主部２２１を含み、ファスナースライダー１００の下方変位を規制する。下部構造２２０は、更に下部主部２２１の前方に配された下部副部２２２を含む。下部副部２２２は、前方結合部２３０の左隣及び右に配置され、下部主部２２１と前方結合部２３０に連結する。下部主部２２１は、平板部である。下部副部２２２は、下部主部２２１よりも上下厚が厚い板状部分である。
【００３４】
下部構造２２０の下面には複数の半球部２２９が設けられる。これは、下部構造２２０がヒトとの接触する際にヒトに与える冷感を低減するために設けられる。複数の半球部２２９が２次元状に設けられ、これにより、ヒトとの接触が面接触から複数の点接触になる。
【００３５】
下部主部２２１と下部副部２２２の間には段差２２７が設けられる。段差２２７は、平坦面である段差上面２２７ａと垂直面である段差側面２２７ｂを有する。段差側面２２７ｂは、下部主部２２１の上面２２１ａに対して垂直に交わる。左右の下部副部２２２には、ファスナースライダー１００の前部形状に応じて前方に向かって窪んだ凹み部２２８が設けられる。段差２２７は、凹み部２２８に応じ、左右中央において最も前方にあり、左右中央から左又は右に向かって弧状に後方へ向かう。左右の下部副部２２２において段差２２７の段差上面２２７ａが最も高い位置にある。ファスナースライダー１００に対してスライダーカバー２００が取り付けられた状態において、段差２２７の段差上面２２７ａが、下翼板１２０の上面と面一若しくは僅かに上側の位置にある。
【００３６】
左右の各下部副部２２２には、蝶棒部３４０を案内するための後方上り傾斜のガイド面２２５が設けられる。ガイド面２２５の後端部は、平坦面である段差２２７の段差上面２２７ａに対して接続する。ガイド面２２５は、前方から後方へ向けた上り傾斜面であり、最も高い位置にある段差２２７の段差上面２２７ａまで傾斜する。ガイド面２２５は、左右方向内側において下部結合部２３２の外周面に対して結合する。ガイド面２２５の傾斜に応じ、ガイド面２２５が設けられている範囲において下部副部２２２の上下厚が前方から後方に向かって緩慢に増加する。なお、ガイド突起２２６の上面２２６ａには段差２２７の段差上面２２７ａに面一である平坦な面２２６ａ１が設けられる（図９（ａ）参照）。段差上面２２７ａを第１平坦面と呼び、上面２２６ａに含まれる平坦面２２６ａ１を第２平坦面と呼んでも良い。
【００３７】
ガイド面２２５上には上部構造２１０若しくは上部結合部２３１が設けられない。換言すれば、スライダーカバー２００を上面視した時、ガイド面２２５の視認が上部構造２１０若しくは上部結合部２３１により妨げられない。ガイド面２２５は、蝶棒部３４０のガイド用の面である。蝶棒部３４０の蝶棒本体３４１をファスナースライダー１００内に挿入する直前に蝶棒部３４０の蝶棒本体３４１がガイド面２２５上に置かれる。これにより、ファスナースライダー１００内への蝶棒本体３４１の挿入が容易になる。これは、ファスナースライダー１００の前口との関係において蝶棒本体３４１が下方にずれることが阻止されるためである。
【００３８】
ガイド面２２５には、前方結合部２３０とは左右反対側、すなわちガイド面２２５の外側縁において凸状に隆起して前方から後方に向かって延びるガイド突起２２６が設けられる。ガイド突起２２６は、ガイド面２２５の傾斜方向に沿って延びる突起であり、左右方向にて前方結合部２３０から離間して設けられ、蝶棒部の左右変位を規制する。ガイド面２２５の傾斜方向は、前後方向に一致若しくは実質的に一致するものと理解できる。ガイド面２２５の傾斜方向は、ガイド面２２５によりガイドされる蝶棒部３４０の挿入方向／移動方向にも一致若しくは実質的に一致するとも理解できる。図示の非限定の例においては、ガイド突起２２６は、蝶棒部３４０の下側の溝部３４３に係合し、蝶棒部３４０の左右の変位を規制する。なお、蝶棒部３４０が単に蝶棒本体のみから成り、補強部が設けられず、また従って溝部３４３が設けられない場合においても、ガイド突起２２６により幾らかの程度において蝶棒部３４０の左右変位が規制されるだろう。
【００３９】
蝶棒部３４０の溝部３４３には、溝底面３４３ａ、及び溝側面３４３ｂ、３４３ｃが設けられる（図６参照）。ガイド突起２２６には、上面２２６ａ、及び側面２２６ｂ、２２６ｃが設けられる（図５参照）。ガイド突起２２６の上面２２６ａ上に蝶棒部３４０の溝部３４３の溝底面３４３ａが配される時、ガイド突起２２６の左側面２２６ｂの左方には溝部３４３の溝側面３４３ｂが配され、ガイド突起２２６の右側面２２６ｃの右方には溝部３４３の溝側面３４３ｃが配され、ガイド突起２２６が溝部３４３の溝側面３４３ｂ、３４３ｃにより左右から挟まれる。
【００４０】
蝶棒部３４０が右又は左に向かって変位するとしても、ガイド突起２２６の左側面２２６ｂに対して溝部３４３の溝側面３４３ｂが接触し、若しくはガイド突起２２６の右側面２２６ｃに対して溝部３４３の溝側面３４３ｃが接触し、これにより、蝶棒部３４０の蝶棒本体３４１の円滑な挿入が促進される。
【００４１】
冒頭で述べたように、ヒトによる蝶棒の操作に関し、ヒトの胴体に対する腕の付け根を回転中心としてヒトの腕が弧を描くように動く傾向がある。従って、このヒトの腕の動きにより、蝶棒部３４０の蝶棒本体３４１が、ファスナースライダー１００の前口内に入る前に左右方向外側に逸れるように動くかもしれない。本実施形態によれば、ガイド面２２５には前方結合部２３０とは左右反対側にガイド突起２２６が設けられる。これにより、上述のようなガイド面２２５上での蝶棒本体３４１の横滑りが抑制され、ファスナースライダー１００内への蝶棒本体３４１のガイド性能が高められる。
【００４２】
ガイド突起２２６は、前方から後方に向かってその上下高さが低くなる。なお、ガイド突起２２６の上下高さは、ガイド面２２５から突出するガイド突起２２６の上下高さを意味する。ガイド突起２２６の上下高さが前方において大きく、後方において小さい。ガイド面２２５は、上述のように後方上り傾斜面である。従って、ガイド突起２２６が前後方向において一定の高さで延びるならば、蝶棒部３４０の挿入時にガイド突起２２６により蝶棒部３４０が上方へ過度に押し上げられてしまう可能性がある。本形態においては、このようなガイド突起２２６による蝶棒部３４０の上方への過度な押し上げが回避される。
【００４３】
左右のガイド突起２２６は、前方から後方に向かって左右間隔が次第に狭まるテーパー状に設けられる。換言すれば、左右の各ガイド面２２５が後方に向かって窄んで構成される。ガイド面２２５の左右幅が前方において広く、後方に向かって狭くなる。この構成により、左右方向において狭いファスナースライダー１００の前口への蝶棒本体３４１の案内が最適化される。
【００４４】
前方結合部２３０に関して説明する。上部結合部２３１の嵌合部２３１ａが下部結合部２３２の被嵌合部２３２ａに嵌合して両者が組み合わされ、これにより前方結合部２３０が構成される。上部結合部２３１の嵌合部２３１ａは、中空の嵌合柱を含み、該嵌合柱には嵌合用の嵌合凹部２３１ｂが設けられる。下部結合部２３２の被嵌合部２３２ａは、嵌合柱が挿入される中空の受け筒部を含み、該受け筒部の内壁には嵌合凹部２３１ｂに対して嵌合する嵌合凸部２３２ｂが設けられる。
【００４５】
嵌合部２３１ａには前後に離間して一対の嵌合凹部２３１ｂが設けられ、被嵌合部２３２ａには前後に離間して一対の嵌合凸部２３２ｂが設けられる。前方結合部２３０の範囲内の前後２カ所において上部結合部２３１と下部結合部２３２の嵌合が確保され、上部構造２１０の後端と下部構造２２０の後端の間隔が開いてしまうことが抑制される。
【００４６】
箱部本体３３１の前方に置かれたファスナースライダー１００に対して蝶棒部３４０の蝶棒本体３４１を挿入する例示の過程について説明する。なお、ここでの説明はあくまで例示であり、常にこのような過程が必要になるものではない。なお、蝶棒部３４０がヒトにより操作され、蝶棒部３４０の蝶棒本体３４１がファスナースライダー１００内に挿入される過程が、図９及び図１０に端的に示されている。図１１には、ガイド突起２２６と溝部３４３の係合態様が模式的に断面にて図示される。
【００４７】
まず、ヒトは、蝶棒部３４０若しくは蝶棒部３４０に隣接するファスナーテープ３１１の部分を把持する。次に、ヒトは、スライダーカバー２００のガイド面２２５上に蝶棒部３４０を配置する。この時点において、ガイド面２２５に設けられたガイド突起２２６が蝶棒部３４０の溝部３４３に係合する。これにより、蝶棒部３４０の左右変位が規制される。
【００４８】
次に、ヒトは、蝶棒部３４０を後方へ押し進める。この過程において、上述のように、蝶棒部３４０の蝶棒本体３４１が隆起部２１６により下方に押し下げ、その後、蝶棒部３４０の蝶棒本体３４１が隆起部２１６により左右方向内側へ押され、蝶棒本体３４１がファスナースライダー１００内に円滑に案内される。蝶棒本体３４１は、その挿入時、ガイド面２２５上及びガイド突起２２６により下方変位及び左右方向変位が規制され、その後、壁部２１５の隆起部２１６により上方変位及び左右方向変位が規制される。
【００４９】
蝶棒本体３４１がファスナースライダー１００内に挿入された後、蝶棒本体３４１は、ファスナースライダー１００の上翼板１１０と下翼板１２０及びそれらのフランジ部によりエレメント通路内に閉じ込められる。
【００５０】
蝶棒本体３４１の移動軌跡に沿って、ガイド面２２５及びガイド突起２２６の前側規制構造が設けられ、壁部２１５の隆起部２１６の後方規制部が設けられると理解することもできる。段差２２７の段差上面２２７ａ上に壁部２１５の隆起部２１６が設けられ、前側規制構造と後側規制構造が連続して設けられると言える。これにより、蝶棒本体３４１がガイド面２２５上から壁部２１５の下へ円滑に受け渡され、ファスナースライダー１００内に挿入される。なお、蝶棒本体３４１がファスナースライダー１００を通して箱部本体３３１に挿入された後、ファスナースライダー１００が前方に移動され、これにより、左右のファスナーエレメント３１２同士が噛み合い、左右のファスナーストリンガー３１０が閉じられる。
【００５１】
上述の教示を踏まえると、当業者をすれば、開示の実施形態に対して様々な変更を加えることができる。請求の範囲に盛り込まれた符号は、参考のためであり、請求の範囲を限定解釈する目的で参照されるべきものではない。
【符号の説明】
【００５２】
１００            ファスナースライダー
２００            スライダーカバー
３００            スライドファスナー
３１０            ファスナーストリンガー
３１１            ファスナーテープ
３１２            ファスナーエレメント
２１０            上部構造
２１５            壁部
２１６            隆起部
２２０            下部構造
２２１            下部主部
２２２            下部副部
２２５            ガイド面
２２６            ガイド突起
２２７            段差
２３０            前方結合部
２３１            上部結合部
２３２            下部結合部
【図１】
0003193160.tif 000003
【図２】
0003193160.tif 000004
【図３】
0003193160.tif 000005
【図４】
0003193160.tif 000006
【図５】
0003193160.tif 000007
【図６】
0003193160.tif 000008
【図７】
0003193160.tif 000009
【図８】
0003193160.tif 000010
【図９】
0003193160.tif 000011
【図１０】
0003193160.tif 000012
【図１１】
0003193160.tif 000013